(57)【要約】      （修正有）【課題】節水ができ、使用に便利な熱水供給システムの提供。【解決手段】熱水源１、循環水配管２、メイン制御ユニット３、ポンプ４、第一温度センサー５、第二温度センサー６、及び数セットの使用側制御ユニット７を包括する。熱水源１は、室外設置のガス給湯器である。循環水配管２の前端は給湯器の熱水出水口１４と連通し、配管末端には単一方向弁２１が設置され、冷水管１３上のＴ字管１５に連通している。熱水源１とその循環水配管２は共に一方向に循環する水流配管構造を構成する。単一方向弁２１の設置を利用し、熱水供給運転中に、その冷水管１３中の冷水がその循環水配管２内に逆流するのを防ぐ。循環水配管２はその熱水源１の熱水を室外から室内(浴室)へ送って使用することができ、循環水配管２上に、或いは若干の蛇口２３を設置し、熱水を出すのに使用する。【選択図】図１
0003132753.tif 000002
【実用新案登録請求の範囲】
【請求項１】
熱水源、循環水配管、メイン制御ユニット、ポンプ、温度センサー及び複数セットの使用側制御ユニットを含み、
該熱水源は加熱を経た水流を連続して出力できる装置で、それは低温水管の入水口と連通し、低温水流をその熱水源の加熱ユニットに通過させて加熱した後、更に出水口より熱水を出力し、
該循環水配管はその配管前端が前記の熱水源の出水口に連通し、配管末端が前記の低温水管の支点に連通し、且つ、その循環水配管上に１組、或いは１組以上の出水弁が設置し、
該メイン制御ユニットは一つ以上の温度制御部と予約タイマー部を有し、その温度制御部はその循環水配管内の水流温度を監視制御することができ、また、それによりユーザーが設定した水温に適合した状態を保持させ、そしてその予約タイマー部はある予定の時間ポイント、或いは周期的設定の時間ポイントにその温度制御部の運転を一定期間起動することができ、
該ポンプは前記の循環水配管中に設置され、それは前記のメイン制御ユニットの温度制御部の操作を受けて運転、
該温度センサーはその循環水配管の末端管部位に取り付けられ、その循環水配管の末端管部位の水流温度を検知するのに用い、また検知して得られた水温パラメーターを前記のメイン制御ユニットの温度制御部の使用に伝送、
該複数セットの使用側制御ユニットは出水弁が設けられたあらゆる所、或いは水温の監視制御が必要な場所に、選択的に取り付けられ、そして、その使用側制御ユニットは少なくとも、制御パネルと水温表示装置を含み、その制御パネルは前記のメイン制御ユニットの温度制御部の運転を起動、或いは停止する操作ができ、また、ユーザーにシステムが供給する熱水温度を設定させることができ、そして、その水温表示装置はその給水配管中の熱水の温度状態が表示でき、それは、その使用側の制御ユニットの制御パネルの操作や、前記のメイン制御ユニットの予約タイマー部の予約設定により、前記のメイン制御ユニットの温度制御部の運転を起動し、その温度制御部は前記の温度センサーを利用し、その循環水配管内の実際の水温が設定水温より低いことを検知すると、即そのポンプの運転を起動し、その循環水配管中の冷水を駆動し、その低温水管内に流入させ、さらにその熱水源中へ送って加熱し、同時にその循環水配管はその給湯器の出水口より新たな熱水を引き入れ、その温度センサーがその循環水配管内の実際の水温と設定水温が等しくなったことを再び検知すると、その温度制御部は即、そのポンプの運転を停止することを特徴とする熱水供給システム。
【請求項２】
当該熱水源はメイン制御ユニットの制御を受け、特定温度の熱水を出力することを特徴とする請求項１記載の熱水供給システム。
【請求項３】
前記の特定温度はその使用側制御ユニットの設定変更により変更することができることを特徴とする請求項２記載の熱水供給システム。
【請求項４】
さらに当該循環水配管末端に設置する単一方向弁を含むことを特徴とする請求項１記載の熱水供給システム。
【請求項５】
当該水温表示装置は温度数値を表示することができるディスプレイであることを特徴とする請求項１記載の熱水供給システム。
【請求項６】
当該水温表示装置は水温の状態により、異なる音声やランプを発するアラームであることを特徴とする請求項１記載の熱水供給システム。
【請求項７】
熱水源、循環水配管、メイン制御ユニット、ポンプ、第一温度センサー、第二温度センサー及び複数セットの使用側制御ユニットを含み、
該熱水源は加熱を経た水流を連続して出力できる装置で、それは低温水管の入水口に連通し、低温水流をその熱水源の加熱ユニットに通過させて加熱した後、更に出水口より熱水を出力し、
該循環水配管はその配管前端が前記の熱水源の出水口に連通し、配管末端は前記の低温水管の支点に連通し、且つ、その循環水配管上に１組、或いは１組以上の出水弁が設置し、
該メイン制御ユニットは一つ以上の温度制御部と予約タイマー部を有し、その温度制御部はその循環水配管内の水流温度を監視制御することができ、またそれによりユーザーが設定した水温に適合した状態を保持させ、そしてその予約タイマー部はある予定の時間ポイント、或いは周期的設定の時間ポイントに、その温度制御部の運転を一定期間起動することができ、
該ポンプは前記の循環水配管中に設置され、それは前記のメイン制御ユニットの温度制御部の操作を受けて運転し、
該第一温度センサーはその循環水配管の末端管部位に取り付けられ、循環水配管の末端管部位の水流温度を検知するのに用い、また検知して得られた水温パラメーターを前記のメイン制御ユニットの温度制御部の使用に伝送し、
該第二温度センサーはその循環水配管の前端に取り付けられ、その熱水源の出水口より流入する熱水温度を検知するのに用い、また得られた水温パラメーターを前記のメイン制御ユニットの温度制御部の使用に伝送し、
該複数セットの使用側制御ユニットは出水弁が設けられたあらゆる所、或いは水温の監視制御が必要な場所に、選択して取り付けられ、そしてその使用側制御ユニットは少なくとも、制御パネルと水温表示装置を含み、その制御パネルは前記のメイン制御ユニットの温度制御部の運転を起動、或いは停止する操作ができ、及び、ユーザーがシステムの供給する熱水温度を設定することができ、そして、その水温表示装置はその給水配管中の熱水の温度状態を表示することができ、それは、その使用側の制御ユニットの制御パネルの操作や、前記のメイン制御ユニットの予約タイマー部の予約設定により、前記のメイン制御ユニットの温度制御部の運転を起動し、その温度制御部は前記の第一温度センサーを利用し、その循環水配管内の実際の水温が設定水温より低いことを検知すると、即そのポンプの運転を起動させ、その循環水配管中の冷水を駆動し、その低温水管内に流入させ、さらにその熱水源中へ送って加熱し、同時にその循環水配管はその給湯器の出水口より新たな熱水を引き入れ、その第一温度センサーがその循環水配管内の実際の水温が設定水温と等しくなったことを再び検知すると、その温度制御部は即、そのポンプの運転を停止し、このほかに、その第二温度センサーを利用し、その熱水源の出水口の熱水温度を検知し、この調整に基づきその温度制御部にその熱水源を加熱運転させ、その熱水源に設定水温に適合した熱水を供給使用させることを特徴とする請求項１記載の熱水供給システム。
【考案の詳細な説明】
【技術分野】
【０００１】
本考案は熱水供給システムで、特に給水配管の水流に対し予熱を行い、且つ水温を監視制御することができる熱水供給システムを指す。
【背景技術】
【０００２】
給湯器は主に、洗面や風呂に使用する温水の給湯に用い、すでに現在の家庭にとって不可欠の設備となっている。そしてよく見られる給湯器のタイプには、おおよそ、ガス給湯器、電気給湯器、太陽エネルギー給湯器等がある。その中で、ガス給湯器はその機能が安定し、設備コストとエネルギー源の費用が相対的に低価格であることから、現在広く一般家庭で採用されている。ガス給湯器は天然ガスの燃焼によって加熱され、そしてガスの燃焼が大量の酸素を消耗し、二酸化炭素を発生させる。ガスが不完全燃焼するとさらに一酸化炭素等の有毒ガスが発生するため、室内で使用すると、酸欠による窒息や一酸化炭素中毒の状況を起こしやすい。新聞やテレビニュースでこの種の事件の報道を時おり聞き、また、よく使用操作の不注意やガス配管の破裂がガス漏れを起こして、ガスが室内空間に充満し、使用のため点火した時や電気製品の火花が爆発や火災事故を起こす。特に冬季や雨季のシーズンには、人々がドアや窓をきっちり締め切り、室内外の空気が流通しない状況になるため、より前記の事故を起こしやすい。これからわかるように、ガス給湯器は、実は室内の使用に取り付けるのは不適合である。そして前記の事故発生を避けるため、通常、ガス給湯器を通風のよいベランダ、或いは屋外に取り付けて使用するため、給湯器と給湯蛇口間の距離が大幅に増加し、数メートルから十数メートル、ひどい場合は更に遠くなる。このように設置しての使用は、使用中、管の前後部分の給水温度に大きな差を生じ、供給される熱水が突然冷たくなったり、熱くなる現象が起きる以外に、特に給水を開始したばかりの段階では、さらに大量の水資源の浪費と使用上の不便を招く。例えば、熱水給水の初期の段階において、ユーザーが蛇口を開き、給湯器がガスを燃焼させ水を加熱し、適温の熱水が使用に提供されるまでに、通常、約１０秒から２０秒の待ち時間を経る必要がある。そのため使用上非常に不便であり、またこの期間、給水配管中の冷水がすべて排出され、これら流され使用されない水量は少なく見積もって、毎回５リットル以上で、各人毎年平均で少なくとも１,５００リットル以上の水量を浪費する。台湾地区の人口数の一年で計算すると、少なくとも３５０億リットルの水量を無駄にロスし、この結果、各人の水道代支出負担が増加するだけでなく、また大量の水資源を浪費する。前記の欠点は給湯ボイラーの取り付け、或いは大効率の電気給湯器を使用することで解決できる。ただ給湯ボイラー設備の設置費用が安価ではなく、実際、一般家庭の経済能力で負担できるものではない。そして、大効率の電気給湯器を取り付けると、必要な電気代が非常に高い以外に、更にその電気給湯器が必要とする大電流運転に適合させるため、電気供給設備を更新設置せねばならず極めて不便である。
【考案の開示】
【考案が解決しようとする課題】
【０００３】
このことに鑑み、本考案は主に、節水でき、且つ使用に便利な熱水供給システムを提供し、それが利用する循環水配管の設計は給水配管内の水流を迅速に予設水温に到達させて供給使用し、ユーザーを待たせず、すばやく使用する目的を達成し、また周知の熱水システムが熱水を待つため、先に大量の冷水を流し、水資源を浪費する欠点を取り除くことができるものである。
【０００４】
本考案は次に、常に安定した温度を保つことができる熱水供給システムを提供する。それはメイン制御ユニットが配管中に取り付けられた水温測定器によりその給水配管中の水温を監視制御することができる。またこれにより、その熱水源の加熱運転を調整し、その熱水源の出力が設定水温に適合した熱水の供給使用を確保できるようにし、これにより、急に冷たくなったり熱くなる給水の欠点を取り除き、さらに高温の熱湯でやけどする危害を避けることができる。
【０００５】
本考案はまた、安全に使用できる熱水供給システムを提供する。それは循環水配管の設計により、熱水源を遠距離の室外に配置したり、その他安全な所で運転させる。また温度が安定した熱水を迅速に室内での使用に供給し、このためガスを燃焼させる給湯器を使用しても酸欠や、毒ガスなどの危害が室内のユーザーに及ばない。
【０００６】
本考案は更に操作使用に便利な熱水供給システムを提供する。それは給水配管の出水弁付近、或いは水温の監視制御が必要な場所に使用側の制御ユニットを設けて、ユーザーに給水予熱運転を起動させたり、給水温度を設定させる。また水温の状態を表示させることができ、使用のタイミングを参考とする。且つ、それは更に予約タイマー機能を有し、定期的な使用習慣に適する。
【０００７】
本考案に基づき提供される熱水供給システムは、主に以下のものを包括し、熱水源は加熱を経た水流を連続的に出力できる装置で、それは低温水管に連通する入水口を有し、低温水流をその熱水源の加熱ユニットへ通過させて加熱した後、さらに出水口より熱水を出力する。その中で、当該熱水源は後記のメイン制御ユニットの操作を受け、特定温度の熱水を出力することができ、且つ前記の特定温度は後記の使用側の制御ユニットの設定変更により変更できる。そしてその熱水源はガス給湯器、電気給湯器、太陽エネルギー給湯器、或いは熱水ボイラーとすることができる。また蓄熱式や瞬間式給湯器、或いはジェネレーションシステムを選ぶことができ、且つ、当該熱水源は前記の装置を単独、或いは複数の構成、または二種以上の異なるタイプの熱水源を選んで一緒に組み合わせて使用することもできる。
【０００８】
循環水配管はその配管前端が前記の熱水源の出水口に連通し、配管末端が前記の低温水管の支点に連通する。且つその循環水配管上に１組、或いは１組以上の出水弁、例えば、蛇口、シャワーヘッドを設置する。その中にはさらにその循環水配管の末端に設置する単一方向弁を含み、その循環水配管の管体の外部表面を断熱保温被覆層で覆うと最も良い。
【０００９】
メイン制御ユニットは一つ以上の温度制御部と予約タイマー部を有し、その温度制御部はその循環水配管内の水流温度を監視制御することができ、同時にそれによりユーザーが設定した水温に適合した状態を保持する。そして、その予約タイマー部はある予定の時間ポイント、或いは周期的に設定された時間ポイントを設定し、その温度制御部の運転を一定期間起動させることができる。
【００１０】
ポンプ(PUMP)は前記の循環水配管中に設置され、循環水配管の末端部位に取り付けるのが最も良く、それは前記のメイン制御ユニットの温度制御部の操作を受け運転される。
【００１１】
温度センサーはその循環水配管の末端管部位に取り付けられ、その循環水配管の末端管部位の水流温度を検知するのに用いる。また検知して得られた水温パラメーターを前記のメイン制御ユニットの温度制御部の使用に伝送する。
【００１２】
及び、使用側の制御ユニット複数セットは出水弁が設けられたあらゆる所、或いは水温の監視制御が必要な所に選択して取り付けられる。そしてその使用側の制御ユニットは少なくとも、制御パネルと水温表示装置を含む。その制御パネルは前記のメイン制御ユニットの温度制御部の運転の起動、或いは停止を操作することができ、また、ユーザーにシステムが供給する熱水温度を設定させることができ、そして、その水温表示装置はその給水配管中の熱水の温度状態が表示できる。その中で、その水温表示装置を温度数値が表示できるディスプレイ、或いは水温状態により異なる音声やランプを発するアラームとすることができる。またその使用側の制御ユニットとメイン制御ユニット間の操作信号の伝送は信号導線、或いは無線信号を利用する伝送方式とすることができる本考案に基づき提供される熱水供給システムは、主に以下のものを包括し、熱水源は加熱を経た水流を連続的に出力できる装置で、それは低温水管に連通する入水口を有し、低温水流をその熱水源の加熱ユニットへ通過させて加熱した後、さらに出水口より熱水を出力する。その中で、当該熱水源は後記のメイン制御ユニットの操作を受け、特定温度の熱水を出力することができ、且つ前記の特定温度は後記の使用側の制御ユニットの設定変更により変更できる。そしてその熱水源はガス給湯器、電気給湯器、太陽エネルギー給湯器、或いは熱水ボイラーとすることができる。また蓄熱式や瞬間式給湯器、或いはジェネレーションシステムを選ぶことができ、且つ、当該熱水源は前記の装置を単独、或いは複数の構成、または二種以上の異なるタイプの熱水源を選んで一緒に組み合わせて使用することもできる。
【００１３】
本考案は上記の部品で構成され、その使用側の制御ユニットの制御パネル操作、或いは前記のメイン制御ユニットの予約タイマー部の予約設定により、前記のメイン制御ユニットの温度制御部の運転を起動することができる。その温度制御部は前記の温度センサーを利用し、その循環水配管内の実際の水温が設定水温より低いことを検知すると、即そのポンプの運転を起動し、その循環水配管中の冷水を駆動してその低温水管内に流入させ、さらにその熱水源中へ送り込んで加熱する。同時にその循環水配管はその給湯器の出水口より新しい熱水を引き入れ、その温度センサーはその循環水配管内の実際の水温と設定水温が等しくなったことを再び検知すると、その温度制御部が即、そのポンプの運転を停止する。これにより、その循環水配管内の水流は迅速に設定水温に到達し、供給使用される。
【００１４】
又、本考案に基づく給湯システムは、第二温度センサーを含み、その循環水配管の前端に取り付けられ、その熱水源の出水口より流入する熱水温度を検知するのに用いる。また検知して得られた水温パラメーターを前記のメイン制御ユニットの温度制御部の使用に伝送する。その第二温度センサーが、その熱水源の出水口の熱水温度を検知し、これを調整することで、その温度制御部にその熱水源を加熱運転させ、その熱水源の出力が設定水温に適合した熱水の供給使用を確保できるようにする。
【課題を解決するための手段】
【００１５】
請求項１の考案は、熱水源、循環水配管、メイン制御ユニット、ポンプ、温度センサー及び複数セットの使用側制御ユニットを含み、
該熱水源は加熱を経た水流を連続して出力できる装置で、それは低温水管の入水口と連通し、低温水流をその熱水源の加熱ユニットに通過させて加熱した後、更に出水口より熱水を出力し、
該循環水配管はその配管前端が前記の熱水源の出水口に連通し、配管末端が前記の低温水管の支点に連通し、且つ、その循環水配管上に１組、或いは１組以上の出水弁が設置し、
該メイン制御ユニットは一つ以上の温度制御部と予約タイマー部を有し、その温度制御部はその循環水配管内の水流温度を監視制御することができ、また、それによりユーザーが設定した水温に適合した状態を保持させ、そしてその予約タイマー部はある予定の時間ポイント、或いは周期的設定の時間ポイントにその温度制御部の運転を一定期間起動することができ、
該ポンプは前記の循環水配管中に設置され、それは前記のメイン制御ユニットの温度制御部の操作を受けて運転、
該温度センサーはその循環水配管の末端管部位に取り付けられ、その循環水配管の末端管部位の水流温度を検知するのに用い、また検知して得られた水温パラメーターを前記のメイン制御ユニットの温度制御部の使用に伝送、
該複数セットの使用側制御ユニットは出水弁が設けられたあらゆる所、或いは水温の監視制御が必要な場所に、選択的に取り付けられ、そして、その使用側制御ユニットは少なくとも、制御パネルと水温表示装置を含み、その制御パネルは前記のメイン制御ユニットの温度制御部の運転を起動、或いは停止する操作ができ、また、ユーザーにシステムが供給する熱水温度を設定させることができ、そして、その水温表示装置はその給水配管中の熱水の温度状態が表示でき、それは、その使用側の制御ユニットの制御パネルの操作や、前記のメイン制御ユニットの予約タイマー部の予約設定により、前記のメイン制御ユニットの温度制御部の運転を起動し、その温度制御部は前記の温度センサーを利用し、その循環水配管内の実際の水温が設定水温より低いことを検知すると、即そのポンプの運転を起動し、その循環水配管中の冷水を駆動し、その低温水管内に流入させ、さらにその熱水源中へ送って加熱し、同時にその循環水配管はその給湯器の出水口より新たな熱水を引き入れ、その温度センサーがその循環水配管内の実際の水温と設定水温が等しくなったことを再び検知すると、その温度制御部は即、そのポンプの運転を停止することを特徴とする熱水供給システムとしている。
請求項２の考案は、当該熱水源はメイン制御ユニットの制御を受け、特定温度の熱水を出力することを特徴とする請求項１記載の熱水供給システムとしている。
請求項３の考案は、前記の特定温度はその使用側制御ユニットの設定変更により変更することができることを特徴とする請求項２記載の熱水供給システムとしている。
請求項４の考案は、さらに当該循環水配管末端に設置する単一方向弁を含むことを特徴とする請求項１記載の熱水供給システムとしている。
請求項５の考案は、当該水温表示装置は温度数値を表示することができるディスプレイであることを特徴とする請求項１記載の熱水供給システムとしている。
請求項６の考案は、当該水温表示装置は水温の状態により、異なる音声やランプを発するアラームであることを特徴とする請求項１記載の熱水供給システムとしている。
請求項７の考案は、熱水源、循環水配管、メイン制御ユニット、ポンプ、第一温度センサー、第二温度センサー及び複数セットの使用側制御ユニットを含み、
該熱水源は加熱を経た水流を連続して出力できる装置で、それは低温水管の入水口に連通し、低温水流をその熱水源の加熱ユニットに通過させて加熱した後、更に出水口より熱水を出力し、
該循環水配管はその配管前端が前記の熱水源の出水口に連通し、配管末端は前記の低温水管の支点に連通し、且つ、その循環水配管上に１組、或いは１組以上の出水弁が設置し、
該メイン制御ユニットは一つ以上の温度制御部と予約タイマー部を有し、その温度制御部はその循環水配管内の水流温度を監視制御することができ、またそれによりユーザーが設定した水温に適合した状態を保持させ、そしてその予約タイマー部はある予定の時間ポイント、或いは周期的設定の時間ポイントに、その温度制御部の運転を一定期間起動することができ、
該ポンプは前記の循環水配管中に設置され、それは前記のメイン制御ユニットの温度制御部の操作を受けて運転し、
該第一温度センサーはその循環水配管の末端管部位に取り付けられ、循環水配管の末端管部位の水流温度を検知するのに用い、また検知して得られた水温パラメーターを前記のメイン制御ユニットの温度制御部の使用に伝送し、
該第二温度センサーはその循環水配管の前端に取り付けられ、その熱水源の出水口より流入する熱水温度を検知するのに用い、また得られた水温パラメーターを前記のメイン制御ユニットの温度制御部の使用に伝送し、
該複数セットの使用側制御ユニットは出水弁が設けられたあらゆる所、或いは水温の監視制御が必要な場所に、選択して取り付けられ、そしてその使用側制御ユニットは少なくとも、制御パネルと水温表示装置を含み、その制御パネルは前記のメイン制御ユニットの温度制御部の運転を起動、或いは停止する操作ができ、及び、ユーザーがシステムの供給する熱水温度を設定することができ、そして、その水温表示装置はその給水配管中の熱水の温度状態を表示することができ、それは、その使用側の制御ユニットの制御パネルの操作や、前記のメイン制御ユニットの予約タイマー部の予約設定により、前記のメイン制御ユニットの温度制御部の運転を起動し、その温度制御部は前記の第一温度センサーを利用し、その循環水配管内の実際の水温が設定水温より低いことを検知すると、即そのポンプの運転を起動させ、その循環水配管中の冷水を駆動し、その低温水管内に流入させ、さらにその熱水源中へ送って加熱し、同時にその循環水配管はその給湯器の出水口より新たな熱水を引き入れ、その第一温度センサーがその循環水配管内の実際の水温が設定水温と等しくなったことを再び検知すると、その温度制御部は即、そのポンプの運転を停止し、このほかに、その第二温度センサーを利用し、その熱水源の出水口の熱水温度を検知し、この調整に基づきその温度制御部にその熱水源を加熱運転させ、その熱水源に設定水温に適合した熱水を供給使用させることを特徴とする請求項１記載の熱水供給システムとしている。
【考案の効果】
【００１６】
本考案は主に、節水でき、且つ使用に便利な熱水供給システムを提供し、それが利用する循環水配管の設計は給水配管内の水流を迅速に予設水温に到達させて供給使用し、ユーザーを待たせず、すばやく使用する目的を達成し、また周知の熱水システムが熱水を待つため、先に大量の冷水を流し、水資源を浪費する欠点を取り除くことができるものである。常に安定した温度を保つことができる熱水供給システムを提供する。それはメイン制御ユニットが配管中に取り付けられた水温測定器によりその給水配管中の水温を監視制御することができる。またこれにより、その熱水源の加熱運転を調整し、その熱水源の出力が設定水温に適合した熱水の供給使用を確保できるようにし、これにより、急に冷たくなったり熱くなる給水の欠点を取り除き、さらに高温の熱湯でやけどする危害を避けることができる。安全に使用できる熱水供給システムを提供する。それは循環水配管の設計により、熱水源を遠距離の室外に配置したり、その他安全な所で運転させる。また温度が安定した熱水を迅速に室内での使用に供給し、このためガスを燃焼させる給湯器を使用しても酸欠や、毒ガスなどの危害が室内のユーザーに及ばない。本考案は更に操作使用に便利な熱水供給システムを提供する。それは給水配管の出水弁付近、或いは水温の監視制御が必要な場所に使用側の制御ユニットを設けて、ユーザーに給水予熱運転を起動させたり、給水温度を設定させる。また水温の状態を表示させることができ、使用のタイミングを参考とする。且つ、それは更に予約タイマー機能を有し、定期的な使用習慣に適する。
【考案を実施するための最良の形態】
【００１７】
後に添付する各図に示すように、本考案の実施例は、熱水源１、循環水配管２、メイン制御ユニット３、ポンプ４、第一温度センサー５、第二温度センサー６、及び数セットの使用側制御ユニット７を包括する。
【００１８】
その中で、この実施例中、その熱水源１には、室外に取り付ける１セットのガス給湯器を選び、その給湯器の冷水入水口１２は単一方向弁１６を設けた冷水管１３に連通し、その冷水管１３が引き入れる水流はその給湯器の加熱ユニット(図未表示)を経て加熱された後、熱水がその給湯器の熱水出水口１４より出力される。
【００１９】
当該循環水配管２の前端はその給湯器の熱水出水口１４と連通し、そして配管末端には単一方向弁２１が設置され、且つ前記の冷水管１３上のＴ字管１５に連通している。この設置により、その熱水源１とその循環水配管２は共に一方向に循環する水流配管構造を構成する。又、その単一方向弁２１の設置を利用し、熱水供給運転中に、その冷水管１３中の冷水がその循環水配管２内に逆流するのを防ぐ。またその循環水配管２はその熱水源１の熱水を室外から室内(浴室)へ送って使用することができ、また、その循環水配管２上に、或いは若干の蛇口２３を設置し、熱水を出すのに使用する。
【００２０】
当該メイン制御ユニットは温度制御部３１と予約タイマー部３２を有し、その温度制御部３１はその循環水配管２内の水流温度を監視制御することができる。また、それによりユーザーが設定した水温に適合した状態を維持し、しかもその予約タイマー部３２はある予定の時間ポイント、或いは周期的に設定された時間ポイントを設定し、その温度制御部３１の運転を一定期間起動させることができる。
【００２１】
そのポンプ４はその循環水配管２の末端部に設置され、それは前記のメイン制御ユニットの温度制御部３１の操作を受けて運転される。運転を起動すると、その循環水配管２中の水流を駆動し、その単一方向弁２１を正流で通過させ、冷水管１３中に流すことができる。
【００２２】
第一温度センサー５は、その循環水配管２の配管末端部位に取り付けられ、その循環水配管の配管末端部位の水流温度を検知するのに用いる。それがその循環水配管２内の実際の水温が設定水温より低いことを検知すると、前記のメイン制御ユニットの温度制御部３１が即、そのポンプ４を触発し運転を起動させ、その循環水配管中の水流を駆動し、正流でその単一方向弁２１を通過させ、冷水管１３中へ流入させ、次に給湯器中へ送り込んで再び加熱する。同時にその循環水配管２は、その給湯器の熱水出水口１４より新たな熱水を受け入れ、第一温度センサー５がその循環水配管内の実際の水温と設定水温が等しくなったことを検知すると、その温度制御部３１が即、そのポンプ４の運転を停止する。これにより、その循環水配管内の水流は迅速に設定水温に到達し、供給使用される。
【００２３】
第二温度センサー６はその循環水配管２の前端に取り付けられ、その給湯器の出水口１４より流入する熱水温度を検知するのに用い、前記のメイン制御ユニットの温度制御部３１がこれにより、熱水源１の加熱運転を調整し、その循環水配管２が設定水温に適合した熱水を出力できるようにする。
【００２４】
そして、当該使用側制御ユニット７は制御パネル７１を有し、それは前記のメイン制御ユニットの温度制御部３１の運転の起動、或いは停止操作ができ、またユーザーにシステムが供給する熱水温度を設定させることができる。このほか、その使用側制御ユニット７はさらに水温表示装置７２、例えば液晶モニター(ＬＣＤ)を有し、それは、ユーザーの参考として給水配管中の熱水温度を表示することができる。またその水温表示装置７２は、使用する水温状態により異なる音やランプを発するアラームを配合することができる。例えば、水温が設定温度に適合すると緑ランプが点灯し、水温が設定温度に達していないと黄ランプが点灯、水温が設定温度を超える(或いは警戒温度に達する)と赤ランプが点灯したり、アラーム音を発して警告する。この指示や注意により、ユーザーは水温の状態に注意し、熱水使用の安全を維持する。又、それら使用側制御ユニット７は、蛇口、或いは出水設備が設置されているあらゆる所、或いは監視制御が必要な所を選択して取り付けることができ、使用の便利性と熱水使用の安全を維持する。
【００２５】
本考案は上記の部品で構成され、以下の三種の使用状況により、その技術的特徴、及び機能を更に進めて詳細に説明することができる。
【００２６】
使用状況一、熱水供給の運転の臨時的起動：不特定の時間ポイント(つまり臨時的)に熱水を使用したい時、ユーザーはその使用側制御ユニット７の制御パネル７１の操作により、前記のメイン制御ユニットの温度制御部３１の運転を起動することができ、当該温度制御部３１の運転中、第一温度センサー５がその循環水配管２内の実際の水温が設定水温より低いことを検知すると、即そのポンプ４の運転を起動し、その循環配管中の冷水を駆動して冷水管１３内へ流入させる。そして、その冷水管１３には単一方向弁１６が設けられているため、その循環水配管２より冷水管１３内へ流した水は直接、再び給湯器中に送られ加熱される。同時にその循環水配管２はその給湯器の熱水出水口１４より新たな熱水を引き入れ、その循環水配管内の水流を迅速に設定水温に到達させ供給使用する。そしてその過程中、ユーザーはまたその使用側制御ユニット７の水温表示装置７２により、給水配管中の水温状態を観察し知ることができ、いつ熱水の使用を開始するか決定することができる。また、前記の給水予熱運転は、その循環水配管２内の水量が大量でないため、その循環水配管内の水流をすばやく設定水温に到達させることができ、ユーザーは待ち時間に多くを費やす必要がなく、すばやく正常な熱水の供給が得られる。このようにしてまた、周知の熱水システムが熱水を待つため、先に大量の冷水を流して水資源を浪費するという欠点を取り除くことができる。このほか、本考案の給湯器は周知のボイラー式給湯器とも異なる所があり、本考案では、平時に持続的に加熱保温をする必要がないため、大量のエネルギーコストが節約でき、且つ本考案の給湯器はまた周知のボイラー式給湯器の高温高圧がもたらす使用上の安全への配慮が不要である。
【００２７】
使用状況二、予約設定による熱水供給運転の起動：ユーザーがメイン制御ユニットの予約タイマー部３２により予約設定した時間になると、前記のメイン制御ユニットの温度制御部３１が即、自動的に一定時間運転を起動する。この温度制御部３１の運転期間に、第一温度センサー５がその循環水配管２内の実際の水温が設定水温より低いことを検知すると、即そのポンプ４の運転を起動し、その循環水配管中の低温水を駆動して冷水管１３内へ流入させ、更に給湯器中へ送り込んで加熱する。同時にその循環水配管２はその給湯器の熱水出水口１４より新たな熱水を引き入れ、その循環水配管内の水流を常に設定水温に保持させ、ユーザーはその予約運転期間に随時熱水を得ることができる。そして、その循環水配管２内の水量が大量でなく、且つその循環水配管の外部に設けた絶縁保温層が熱量の散失を減らすことができるため、本考案は前記の給水予熱期間に少額のエネルギーコストを支出するだけで、常にその循環水配管内の水温を使用に適した状態に保持することができる。
【００２８】
使用状況三、熱水供給の運転中に、恒温の熱水を維持して供給：その循環水配管２中の熱水が蛇口２３により持続的に流出し使用される時、その熱水源１はまた連続的にその給湯器の熱水出水口１４より熱水をその循環水配管中へ送る。そして、前記の熱水供給の運転と同時に、そのメイン制御ユニットの温度制御部３１がまた、その循環水配管２の前端に取り付けられた第二温度センサー６により、随時その流入する熱水温度を監視制御する。その給湯器の出水口１４より流入する熱水温度が設定水温を超えたことを検知すると、その温度制御部３１は即、その熱水源１を調整し、熱水への加熱を減らすことができる。反対に、流入する熱水の温度が設定水温より低いと、その熱水源１を調整し、熱水への加熱を増加し、その熱水源１が設定水温に適合した熱水をその循環水配管２中へ出力することが確保できる。これによりユーザーは恒温の熱水供給を得ることができ、急に冷たくなったり熱くなるという給水の欠点を取り除き、さらに高温の熱湯でやけどする危害を避けることができる。
【図面の簡単な説明】
【００２９】
【図１】本考案の構造の概略図である。
【図２】本考案の機能ブロック図である。
【符号の説明】
【００３０】
１  熱水源
２  循環水配管
３  メイン制御ユニット
４  ポンプ
５  第一温度センサー
６  第二温度センサー
７  使用側制御ユニット
１２  給湯器の冷水入水口
１３  冷水管
１４  給湯器の熱水出水口
１５  Ｔ字管
１６  単一方向弁
２１  単一方向弁
２３  蛇口
３１  温度制御部
３２  予約タイマー部
７１  制御パネル
７２  水温表示装置
【図１】
0003132753.tif 000003
【図２】
0003132753.tif 000004